(57)【要約】情報再生装置（１）は、利用者ごとにおよびコンテンツデータごとにレジューム情報を生成し、これをサーバーコンピュータ（１２）に記憶する。そして、情報再生装置（１）は、現在の利用者を識別し、レジューム再生すべきコンテンツデータを識別し、当該利用者に対応しかつ当該コンテンツデータに対応するレジューム情報をサーバーコンピュータ１２から取得し、このレジューム情報に基づいて当該コンテンツデータについてレジューム再生を行う。これにより利用者ごとおよびコンテンツデータごとに働く高性能レジューム機能を実現する。
2008047418.tif 000002
【特許請求の範囲】
【請求項１】
複数のコンテンツデータが記録されたリムーバブルな記録媒体に記録された情報を再生する情報再生装置であって、
レジューム再生開始位置の基準となる位置またはレジューム再生開始位置を示すレジューム情報を、複数の管理区分ごとにかつ複数のコンテンツデータごとに生成するレジューム情報生成手段と、
前記レジューム情報生成手段により生成されたレジューム情報を記憶装置に出力するレジューム情報出力手段と、
前記複数の管理区分のうちの１つの管理区分を識別する管理区分識別手段と、
前記複数のコンテンツデータのうちの１つのコンテンツデータを識別するコンテンツデータ識別手段と、
前記管理区分識別手段により識別された１つの管理区分に対応し、かつ前記コンテンツデータ識別手段により識別された１つのコンテンツデータに対応する前記レジューム情報を前記記憶装置から取得するレジューム情報取得手段と、
前記レジューム情報取得手段により取得されたレジューム情報に基づいてレジューム再生開始位置を決定し、前記コンテンツデータ識別手段により識別された１つのコンテンツデータの再生を前記レジューム再生開始位置から開始する再生制御手段とを備えていることを特徴とする情報再生装置。
【請求項２】
前記レジューム情報生成手段は、複数の利用者ごとにかつ複数のコンテンツデータごとに前記レジューム情報を生成することを特徴とする請求の範囲第１項に記載の情報再生装置。
【請求項３】
前記管理区分識別手段により識別された管理区分に対応するレジューム情報に係るコンテンツデータのリストを表示するリスト表示手段を備えていることを特徴とする請求の範囲第１項に記載の情報再生装置。
【請求項４】
前記管理区分識別手段により識別された管理区分に対応するレジューム情報に係り、かつ所定の属性を有していないコンテンツデータのリストを表示するリスト表示手段を備えていることを特徴とする請求の範囲第１項に記載の情報再生装置。
【請求項５】
前記レジューム情報出力手段は、前記レジューム情報生成手段により生成されたレジューム情報をコンピュータネットワークに接続されたコンピュータの記憶装置に記憶させるために、前記コンピュータネットワークを通じて前記コンピュータに当該レジューム情報を送信する送信手段を備え、
前記レジューム情報取得手段は、前記コンピュータの記憶装置に記憶された前記レジューム情報を、前記コンピュータネットワークを通じて受信する受信手段を備えていることを特徴とする請求の範囲第１項に記載の情報再生装置。
【請求項６】
前記レジューム情報生成手段は、複数の記録媒体ごとに、複数の管理区分ごとにかつ複数のコンテンツデータごとに前記レジューム情報を生成することを特徴とする請求の範囲第１項に記載の情報再生装置。
【請求項７】
当該情報再生装置に現在装着されている記録媒体を識別する記録媒体識別手段と、
前記管理区分識別手段により識別された管理区分に対応するレジューム情報を認識し、このレジューム情報に対応する記録媒体およびコンテンツデータを認識する認識手段と、
前記記録媒体識別手段により識別された記録媒体と前記認識手段により認識された記録媒体とが互いに異なり、かつ、前記記録媒体識別手段により識別された記録媒体に記録されているコンテンツデータのタイトルと前記認識手段により認識されたコンテンツデータのタイトルとが互いに同じであるときには、前記認識手段により認識されたレジューム情報に基づいて、前記記録媒体識別手段により識別された記録媒体に記録されているコンテンツデータの再生開始位置を、前記認識手段により認識されたコンテンツデータのレジューム再生開始位置に対応するように決定する再生位置決定手段とを備えていることを特徴とする請求の範囲第６項に記載の情報再生装置。
【請求項８】
複数のコンテンツデータが記録されたリムーバブルな記録媒体に記録された情報を再生する情報再生方法であって、
レジューム再生開始位置の基準となる位置またはレジューム再生開始位置を示すレジューム情報を、複数の管理区分ごとにかつ複数のコンテンツデータごとに生成するレジューム情報生成工程と、
前記レジューム情報生成工程において生成されたレジューム情報を記憶装置に出力するレジューム情報出力工程と、
前記複数の管理区分のうちの１つの管理区分を識別する管理区分識別工程と、
前記複数のコンテンツデータのうちの１つのコンテンツデータを識別するコンテンツデータ識別工程と、
前記管理区分識別工程において識別された１つの管理区分に対応し、かつ前記コンテンツデータ識別工程において識別された１つのコンテンツデータに対応する前記レジューム情報を前記記憶装置から取得するレジューム情報取得工程と、
前記レジューム情報取得工程において取得されたレジューム情報に基づいてレジューム再生開始位置を決定し、前記コンテンツデータ識別工程において識別された１つのコンテンツデータの再生を前記レジューム再生開始位置から開始する再生制御工程とを備えていることを特徴とする情報再生方法。
【請求項９】
請求項８に記載の情報再生方法をコンピュータに実行させるためのコンピュータプログラム。
【発明の詳細な説明】
【技術分野】
【０００１】
本発明は、例えば光ディスクに記録された映画作品などの映像・音声コンテンツデータを再生する情報再生装置に関する。
【背景技術】
【０００２】
現在、映画作品を個人または家庭に供給するための記録媒体としてＤＶＤ−ＲＯＭ（読出専用型ＤＶＤ）が広く普及している。記録層が１層のＤＶＤ−ＲＯＭの記録容量は４．７ギガバイトである。この記録容量は、映画１作品に相当する映像・音声コンテンツデータをＭＰＥＧ情報圧縮技術により圧縮して記録するのにちょうどよい容量である。消費者は、映画１作品が記録されたＤＶＤ−ＲＯＭを購入し、自宅にあるＤＶＤプレーヤーなどの情報再生装置で、ＤＶＤ−ＲＯＭに記録されたコンテンツデータを再生し、映画作品を視聴する。【０００３】
ところで、情報再生装置にはレジューム機能を備えているものがある。レジューム機能とは、前回どこまで再生したかを記憶しておき、次に再生するときに前回再生を中断したところの次から再生を開始する機能である。レジューム機能を実現するために、どこまで再生したかを示すレジューム情報を、情報再生装置に内蔵されたメモリーに記憶しておく。レジューム情報は、例えば、再生を停止した位置を示すＤＶＤ−ＲＯＭ上の論理アドレスである。【０００４】
現在普及している情報再生装置の多くは、情報再生装置に現在装着されているＤＶＤ−ＲＯＭについて、前回どこまで再生したかを示すレジューム情報を記憶するのみである。つまり、記憶しておくレジューム情報は１つだけである。【０００５】
もっとも、特開2005-142610号公報には、記録媒体が光磁気ディスクまたはメモリーカードである場合について、記録媒体に記録された複数のコンテンツデータ（作品）ごとにレジューム情報を生成し、これらをコンテンツデータが記録された記録媒体に記録する技術が記載されている。【０００６】
また、特開2003-77257号公報には、記録媒体が記録可能型光ディスクである場合について、複数の視聴者ごとにレジューム情報を生成し、これらをコンテンツデータが記録された記録媒体に記録する技術が記載されている。【０００７】
【特許文献１】特開2005-142610号公報
【特許文献２】特開2003-77257号公報
【発明の開示】
【発明が解決しようとする課題】
【０００８】
現在、ＤＶＤの２０〜１００倍程度の記録容量（数百ギガバイト）を有するリムーバブル読出専用ディスクの開発が進められている。この読出専用ディスクには、数百の映画作品を記録することが可能である。【０００９】
このような読出専用ディスクが実現すれば、例えば日本映画の代表作品を２００作品選んで１つの読出専用ディスクに記録し、これを１つの商品として販売することが可能になる。あるいは、ある有名女優が出演している映画作品のすべてを１つの読出専用ディスクに記録し、これを１つの商品として販売することが可能になる。他にも、テレビで連続的に放送されたドラマ作品の全話を記録した１つの読出専用ディスクなどを製造・販売することが可能になる。【００１０】
このような膨大な数の映画作品が記録された読出専用ディスクの利用形態は、映画１作品が記録されたＤＶＤ−ＲＯＭの利用形態と異なることが予想される。すなわち、映画１作品が記録されたＤＶＤ−ＲＯＭは、個人１人が利用する形態が主である。しかし、膨大な数の映画作品が記録された読出専用ディスクは、複数の者が利用する形態が多くなるであろう。【００１１】
映画１作品が記録されたＤＶＤ−ＲＯＭは、個人１人が利用する形態が主であるため、情報再生装置におけるレジューム機能は単純なもので十分である。すなわち、情報再生装置に現在装着されているＤＶＤ−ＲＯＭに記録された１つの映画作品のコンテンツデータについて、個人１人が前回再生した位置を記憶しておき、次に再生するときにはその次の位置から再生を開始できるようにすれば十分である。【００１２】
これに対し、膨大な数の映画作品が記録された読出専用ディスクは、複数の者が利用する形態が多くなるため、情報再生装置には、より高度なレジューム機能を持たせることが望まれる。【００１３】
すなわち、読出専用ディスクに記録された複数の映画作品を複数の者がそれぞれ視聴することがあり得る。この場合、例えば、読出専用ディスクに記録された映画作品のうち、ある利用者が視聴途中の映画作品が３つあり、別の利用者が視聴途中の映画作品が４つあり、さらに別の利用者が視聴途中の映画作品が２つあるといった事態が生じ得る。【００１４】
このため、複数のコンテンツデータ（映画作品）ごとに、前回再生した位置を記憶しておき、次に再生するときにその次の位置から再生を開始できるようにすることが望まれる。さらに、利用者（視聴者）ごとに、前回再生した位置を記憶しておき、次に再生するときにその次の位置から再生を開始できるようにすることが望まれる。【００１５】
このように、膨大な数の映画作品が記録された読出専用ディスクが普及した暁には、複数のコンテンツデータごとに、かつ複数の利用者ごとに働くレジューム機能を情報再生装置に持たせることが望まれる。【００１６】
さらに、このようなレジューム機能を実現するためには、次のような新たな技術が必要である。【００１７】
すなわち、複数のコンテンツデータごとに、かつ複数の利用者ごとにレジューム機能を働かせる場合、読み取り専用ディスクに記録された複数のコンテンツデータについて、前回の再生状況（視聴状況）をわかりやすく利用者に提示する技術が必要である。【００１８】
また、読出専用ディスクは、リムーバルな記録媒体である。このため、利用者は、１つの読出専用ディスクに記録された映画作品を複数の情報再生装置で視聴することができる。例えば、利用者は、読出専用ディスクを自宅にある情報再生装置に装着して映画作品を視聴することができるだけでなく、同じ読出専用ディスクを友人の家にある別の情報再生装置に装着して映画作品を視聴することもできる。この場合、利用者が自宅にある情報再生装置を用いて前回途中まで視聴した映画作品のレジューム再生を、利用者の友人の家にある情報再生装置により実現することが望まれる。そこで、このようなレジューム機能を実現するための新たな技術が必要である。なお、映画作品が記録された記録媒体が記録可能型の記録媒体であるとすれば、レジューム情報をその記録媒体に記録しておくことにより、このようなレジューム機能を実現することができる。しかし、読出専用ディスクの場合、ディスクへの情報の記録ができないため、これは不可能である。【００１９】
また、１つの読出専用ディスクに膨大な数の映画作品を記録することができるので、互いの異なる読出専用ディスクに同じ映画作品が記録されているという事態が容易に生じ得る。例えば、日本映画の代表作品が２００記録された読出専用ディスクと、ある有名日本女優が出演している映画作品のすべてが記録された読出専用ディスクとに、同じ映画作品が存在することは容易に考えられる。このような場合、異なるディスクの同一作品に対し、レジューム機能をどのように働かせるかを検討する必要がある。そして、このような場合においてレジューム機能を働かせる新しい技術が必要になる。【００２０】
本発明は上記に例示したような問題点に鑑みなされたものであり、本発明の課題は、複数のコンテンツデータごとにかつ複数の利用者ごとに働く高性能なレジューム機能を備えた情報再生装置、情報再生方法およびコンピュータプログラムを提供することにある。
【課題を解決するための手段】
【００２１】
上記課題を解決するために本発明の情報再生装置は、複数のコンテンツデータが記録されたリムーバブルな記録媒体に記録された情報を再生する情報再生装置であって、レジューム再生開始位置の基準となる位置またはレジューム再生開始位置を示すレジューム情報を、複数の管理区分ごとにかつ複数のコンテンツデータごとに生成するレジューム情報生成手段と、前記レジューム情報生成手段により生成されたレジューム情報を記憶装置に出力するレジューム情報出力手段と、前記複数の管理区分のうちの１つの管理区分を識別する管理区分識別手段と、前記複数のコンテンツデータのうちの１つのコンテンツデータを識別するコンテンツデータ識別手段と、前記管理区分識別手段により識別された１つの管理区分に対応し、かつ前記コンテンツデータ識別手段により識別された１つのコンテンツデータに対応する前記レジューム情報を前記記憶装置から取得するレジューム情報取得手段と、前記レジューム情報取得手段により取得されたレジューム情報に基づいてレジューム再生開始位置を決定し、前記コンテンツデータ識別手段により識別された１つのコンテンツデータの再生を前記レジューム再生開始位置から開始する再生制御手段とを備えている。【００２２】
上記課題を解決するために本発明の情報再生装方法は、複数のコンテンツデータが記録されたリムーバブルな記録媒体に記録された情報を再生する情報再生方法であって、レジューム再生開始位置の基準となる位置またはレジューム再生開始位置を示すレジューム情報を、複数の管理区分ごとにかつ複数のコンテンツデータごとに生成するレジューム情報生成工程と、前記レジューム情報生成工程において生成されたレジューム情報を記憶装置に出力するレジューム情報出力工程と、前記複数の管理区分のうちの１つの管理区分を識別する管理区分識別工程と、前記複数のコンテンツデータのうちの１つのコンテンツデータを識別するコンテンツデータ識別工程と、前記管理区分識別工程において識別された１つの管理区分に対応し、かつ前記コンテンツデータ識別工程において識別された１つのコンテンツデータに対応する前記レジューム情報を前記記憶装置から取得するレジューム情報取得工程と、前記レジューム情報取得工程において取得されたレジューム情報に基づいてレジューム再生開始位置を決定し、前記コンテンツデータ識別工程において識別された１つのコンテンツデータの再生を前記レジューム再生開始位置から開始する再生制御工程とを備えている。【００２３】
上記課題を解決するために本発明のコンピュータプログラムは、本発明の情報再生方法をコンピュータに実行させる。
【図面の簡単な説明】
【００２４】
【図１】本発明の実施形態である情報再生装置およびこれに接続されているいくつかの装置を示す斜視図である。
【図２】図１中の情報再生装置のイジェクトボタン配列を示す正面図である。
【図３】掲載制限機能が稼働している状態における視聴履歴リストの一例を示す説明図である。
【図４】掲載制限機能の稼働が停止している状態における視聴履歴リストの一例を示す説明図である。
【図５】図１中の情報再生装置の内部構造を示すブロック図である。
【図６】装置ＩＤ情報、利用者ＩＤ情報、パスワード情報、レジューム情報、視聴日時情報、視聴状況情報、タイトル情報およびプライベートフラグ情報の具体例を示す説明図である。
【図７】図１中の情報再生装置の動作を示すフローチャートである。
【図８】図７に続くフローチャートである。
【図９】図８中の視聴履歴リスト表示処理を示すフローチャートである。
【図１０】本発明の他の実施形態である情報再生装置の内部構造を示すブロック図である。
【図１１】図１０中の情報再生装置の動作を示すフローチャートである。
【符号の説明】
【００２５】
１、６０  情報再生装置
２、１８、１９  光ディスク
１０  インターネット
１２  サーバーコンピュータ
３１  レジューム情報生成部
３２  利用者識別部
３３  コンテンツデータ識別部
３４  ディスク識別部
３５  レジューム情報出力部
３６  レジューム情報取得部
３７  再生制御部
３８  リスト表示制御部
７１  履歴認識部
７２  再生位置決定部
【発明を実施するための最良の形態】
【００２６】
以下、本発明の実施形態について図面を参照しながら説明する。
１．情報再生装置の外観
図１は本発明の実施形態である情報再生装置およびこれに接続されているいくつかの装置を示している。【００２７】
図１中の情報再生装置１は、例えば光ディスク２に記録された複数の映画作品の映像・音声コンテンツデータを再生する機能（情報再生機能）を有する。【００２８】
情報再生装置１は光ディスク２を装着するためのディスクマウント３を備えている。また、情報再生装置１はリモコン４を用いて操作することができる。リモコン４の操作パネル５には、再生開始ボタン、再生停止ボタン、ポーズボタン、早送りボタン、巻き戻しボタン、矢印ボタンおよび決定ボタンなどの操作ボタンが配列されている。【００２９】
また、情報再生装置１のフロントパネルには、イジェクトボタン配列２１が設けられている。イジェクトボタン配列２１は、図２に示すように、例えば３つのイジェクトボタン２２、２３、２４の配列である。イジェクトボタン２２、２３、２は、情報再生装置１を利用する例えば３人の者にそれぞれ割り当てることができる。【００３０】
また、情報再生装置１には、ディスプレイ装置６、およびこのディスプレイ装置６に組み込まれたスピーカ７、８が接続されている。【００３１】
また、情報再生装置１は、モデム９を介してインターネット１０に接続されている。これにより、情報再生装置１は、インターネット１０に接続された管理センター１１のサーバーコンピュータ１２と通信を行うことができる。なお、管理センター１１は、例えば、光ディスク２に記録された映画作品の視聴管理サポート事業を行う企業により運営されている。【００３２】
光ディスク２はリムーバブルな記録媒体である。すなわち、光ディスク２は情報再生装置１に装着したり、情報再生装置１から取り外したりすることができる。【００３３】
光ディスク２の記録容量は例えば数百ギガバイトである。光ディスク２には、膨大な数、例えばおよそ２００の映画作品が記録されている。【００３４】
２．情報再生装置の機能
情報再生装置１は、情報再生機能以外に次のような機能を有する。【００３５】
(1)高性能レジューム機能
情報再生装置１は、利用者ごとおよびコンテンツデータ（タイトル）ごとにレジュームを行う機能（高性能レジューム機能）を有する。【００３６】
一般にレジューム機能とは、前回どこまで再生したかを記憶しておき、次に再生するときに前回再生を中断したところの次から再生を開始する機能である。情報再生装置１が有する高性能レジューム機能は、このレジューム機能の性能を高めたものである。【００３７】
すなわち、情報再生装置１は、利用者ごとにおよびコンテンツデータごとに、前回どこまで再生したかを記憶しておき、次に再生するときには、利用者ごとにおよびコンテンツデータごとに、前回再生を中断したところの次から再生を開始する機能を有する。【００３８】
例えば、情報再生装置１は、利用者Ｐがタイトル「ＡＡＡ」のコンテンツデータを前回どこまで再生したかを記憶しておき、次に利用者Ｐがタイトル「ＡＡＡ］のコンテンツデータを再生するときには、利用者Ｐが前回再生を中断したところの次から再生を開始することができる。【００３９】
また、情報再生装置１は、利用者Ｑがタイトル「ＡＡＡ」のコンテンツデータを前回どこまで再生したかを記憶しておき、次に利用者Ｑがタイトル「ＡＡＡ］のコンテンツデータを再生するときには、利用者Ｑが前回再生を中断したところの次から再生を開始することができる。【００４０】
また、情報再生装置１は、利用者Ｒがタイトル「ＢＢＢ」のコンテンツデータを前回どこまで再生したかを記憶しておき、次に利用者Ｒがタイトル「ＢＢＢ］のコンテンツデータを再生するときには、利用者Ｒが前回再生を中断したところの次から再生を開始することができる。【００４１】
なお、高性能レジューム機能を働かせ、前回再生を中断したところの次から再生を開始することを「レジューム再生」という。【００４２】
(2)視聴履歴リスト表示機能
情報再生装置１は、利用者ごとに視聴履歴リストを表示する機能（視聴履歴リスト表示機能）を有する。【００４３】
図３は視聴履歴リストの一例を示している。図３に示すように、視聴履歴リストは、過去に視聴された映画作品、つまり過去に再生されたコンテンツデータについての履歴のリストである。【００４４】
履歴には、例えば映画作品が視聴された日時、映画作品のタイトルおよび映画作品の視聴状況などが含まれる。視聴状況とは、映画作品を途中まで視聴したか、それとも視聴済みかを意味する。【００４５】
視聴履歴リストには、映画作品（コンテンツデータ）ごとに、視聴日時、タイトルおよび視聴状況が掲載される。【００４６】
視聴履歴リスト中に掲載する映画作品（コンテンツデータ）の履歴の順序は、映画作品の視聴日時が現時点（つまり当該視聴履歴リストの生成日時）に近い順序とするのが望ましい。【００４７】
情報再生装置１は、視聴履歴リストを利用者ごとに表示する。例えば図３中の視聴履歴リスト１５は利用者Ｐの視聴履歴リストである。【００４８】
情報再生装置１は、光ディスク２がディスクマウント３に装着された直後に視聴履歴リストを表示する。視聴履歴リストはディスプレイ装置６の画面中に表示される。【００４９】
なお、視聴履歴リストには、映画作品（コンテンツデータ）ごとに、映画作品の内容を表すサムネイルを追加してもよい。【００５０】
(3)掲載制限機能
情報記録装置１は、所定の属性を有する映画作品の履歴を視聴履歴リストに掲載するのを制限する機能（掲載制限機能）を有する。【００５１】
所定の属性とは、例えば１８歳未満視聴禁止などである。所定の属性が１８歳未満視聴禁止である場合、情報再生装置１は、１８歳未満視聴禁止の映画作品についての履歴を、視聴履歴リストに掲載しない。【００５２】
もっとも、利用者がパスワードを入力した場合などには、情報再生装置１は掲載制限機能の稼働を停止させることができる。【００５３】
図３中の視聴履歴リスト１５は掲載制限機能が稼働している状態における視聴履歴リストである。一方、図４中の視聴履歴リスト１６は掲載制限機能の稼働が停止している状態における視聴履歴リストである。【００５４】
タイトル「ＣＣＣ」の映画作品は１８歳未満視聴禁止の映画作品である。このため、タイトル「ＣＣＣ」の映画作品についての履歴は、視聴履歴リスト１６には掲載されているものの、視聴履歴リスト１５には掲載されていない。つまり、掲載制限機能により、タイトル「ＣＣＣ」の映画作品についての履歴が視聴履歴リスト１５から排除されている。【００５５】
(4)ネットワーク通信機能
情報再生装置１は、レジューム情報、視聴日時情報、視聴状況情報、タイトル情報などを管理センター１１のサーバーコンピュータ１２の記憶装置に記憶し、またはこれらの情報をサーバーコンピュータ１２の記憶装置から取得するために、インターネット１０を介してサーバーコンピュータ１２と通信を行う機能（ネットワーク通信機能）を有する。【００５６】
レジューム情報、視聴日時情報、視聴状況情報、タイトル情報などは、高性能レジューム機能または視聴履歴リスト表示機能などに用いられる情報である。【００５７】
情報再生装置１は、レジューム情報、視聴日時情報、視聴状況情報、タイトル情報などを、複数の利用者ごとに、複数の光ディスクごとにおよび複数の映画作品（コンテンツデータ）ごとに生成する。そして、情報再生装置１は、これら生成された情報を、インターネット１０を介してサーバーコンピュータ１２に送信する。そして、これらの情報はサーバーコンピュータ１２に設けられた大容量記憶装置に記憶される。【００５８】
また、高性能レジューム機能または視聴履歴リスト表示機能などを稼働するとき、情報再生装置１は、インターネット１０を介してサーバーコンピュータ１２からレジューム情報、視聴日時情報、視聴状況情報、タイトル情報などを受信する。【００５９】
(5)利用者識別機能
情報再生装置１は、イジェクトボタン２２、２３、２４のうちのどのイジェクトボタンが押されたかによって利用者を識別する機能（利用者識別機能）を有する。【００６０】
例えば３人の利用者の中の代表者がこれら３人の利用者を情報再生装置１に登録する。具体的には、代表者は各利用者の名前、ＩＤ番号、パスワードなどを登録し、イジェクトボタン２２、２３、２４に３人の利用者をそれぞれ割り当てるための設定を行う。これらの作業は、例えば情報再生装置１を購入して初めて使用するときなどに行われる。【００６１】
イジェクトボタン２２、２３、２４のいずれかが押されたとき、情報再生装置１は、当該押されたイジェクトボタンに割り当てられた利用者を、現在の利用者として認識する。【００６２】
例えばイジェクトボタン２２に利用者Ｐが割り当てられ、イジェクトボタン２３に利用者Ｑが割り当てられ、イジェクトボタン２４に利用者Ｒが割り当てられたとする。この場合、イジェクトボタン２２が押されたときには、情報再生装置１は利用者Ｐが現在の利用者であると認識する。また、イジェクトボタン２３が押されたときには、情報再生装置１は利用者Ｑが現在の利用者であると認識する。イジェクトボタン２４が押されたときには、情報再生装置１は利用者Ｒが現在の利用者であると認識する。【００６３】
イジェクトボタン２２、２３、２４は、光ディスク２をディスクマウント３に装着するとき、または光ディスク２をディスクマウント３から取り出すときに押される。例えば利用者Ｐが光ディスク２に記録された映画作品の視聴を開始しようとするとき、利用者Ｐは光ディスク２を情報再生装置１のディスクマウント３に装着する。このとき、利用者Ｐは自分が割り当てられたイジェクトボタン２２を押す。このとき、情報再生装置１は、利用者Ｐが現在の利用者であると認識する。このように、情報再生装置１の利用者識別機能によれば、光ディスク２に記録された映画作品の視聴が開始されるときに、利用者の認識ないし識別を容易に行うことができる。【００６４】
上記例ではユーザー判別にそれぞれのボタンを用いたが、機器のEjectやPlayボタン、あるいはリモコンに指紋認証装置をつけて個人を判別してもよい。さらに、複数リモコンを使用し、それぞれのリモコンごとにリジューム設定をおこなってもよい。【００６５】
３．情報再生装置の内部構造
図５は情報再生装置１の内部構造を示している。【００６６】
図５に示すように、情報再生装置１は、コンピュータユニット３０、記憶部４１、ディスクドライブ４２、デコード部４３、操作部４４、リモコン通信部４６およびコンピュータネットワーク通信部４７を備えている。【００６７】
コンピュータユニット３０は、レジューム情報生成部３１、利用者識別部３２、コンテンツデータ識別部３３、ディスク識別部３４、レジューム情報出力部３５、レジューム情報取得部３６、再生制御部３７、リスト表示制御部３８および総合制御部３９を備えている。【００６８】
コンピュータユニット３０は、例えば、ＣＰＵ（Central Processing Unit）、ＲＯＭ（Read-Only Memory）およびＲＡＭ（Random-Access Memory）などから構成されている。ＲＯＭには、各部３１ないし３９を実現するためのコンピュータプログラムが記憶されており、ＣＰＵは、このプログラムをＲＯＭから読み出し、実行する。これにより各部３１ないし３９が実現する。ＲＡＭは、ＣＰＵがプログラムを実行するときの作業領域などとして用いられる。【００６９】
レジューム情報生成部３１は、レジューム再生開始位置の基準となる位置を示すレジューム情報を生成する。【００７０】
レジューム情報生成部３１は、複数の利用者ごとおよび複数のコンテンツデータごとにレジューム情報を生成する。例えば、３人の利用者Ｐ、Ｑ、Ｒが同一のコンテンツデータを別々の時期にそれぞれ再生した場合には、３つのレジューム情報がレジューム情報生成部３１により生成される。また、例えば１人の利用者Ｐが複数のコンテンツデータを別々の時期にそれぞれ再生した場合には、３つのレジューム情報がレジューム情報生成部３１により生成される。【００７１】
また、レジューム情報生成部３１は、複数の光ディスクごとにレジューム情報を生成する。例えば、光ディスク２と別の光ディスクにそれぞれ同一のコンテンツデータが記録されており、これら２つの光ディスク上の同一のコンテンツデータが互いに異なる時期にそれぞれ再生されたときには、２つのレジューム情報がレジューム情報生成部３１により生成される。【００７２】
また、レジューム情報生成部３１は、レジューム情報に加え、視聴日時情報、視聴状況情報、タイトル情報およびプライベートフラグ情報を、複数の利用者ごと、複数のコンテンツデータごとおよび複数の光ディスクごとに生成する。【００７３】
利用者識別部３２は、情報再生装置１を利用している現在の利用者を識別する。【００７４】
コンテンツデータ識別部３３は、レジューム再生すべきコンテンツデータを識別する。【００７５】
ディスク識別部３４は、情報再生装置１に現在装着されている光ディスクを識別する。【００７６】
レジューム情報出力部３５は、レジューム情報生成部３１により生成されたレジューム情報、視聴日時情報、視聴状況情報、タイトル情報およびプライベートフラグ情報をインターネット１０に接続されたサーバーコンピュータ１２の記憶装置に記憶させるために、インターネット１０を通じてサーバーコンピュータ１２にこれらの情報を送信する。【００７７】
レジューム情報取得部３６は、レジューム情報、視聴日時情報、視聴状況情報、タイトル情報およびプライベートフラグ情報を、サーバーコンピュータ１２の記憶装置からインターネット１０を通じて受信する。【００７８】
再生制御部３７は、レジューム情報取得部３６により受信されたレジューム情報に基づいてレジューム再生開始位置を決定する。そして、再生制御部３７は、コンテンツデータ識別部３３により識別されたコンテンツデータの再生をレジューム再生開始位置から開始する。【００７９】
リスト表示制御部３８は、利用者識別部３２により識別された利用者に対応するレジューム情報に係り、かつ所定の属性を有していないコンテンツデータに関する視聴履歴リストを表示する。【００８０】
記憶部４１は、例えばフラッシュメモリーなどの電気的に消去可能なＲＯＭ（ＥＥＰＲＯＭ）により構成されている。【００８１】
ディスクドライブ４２は、ディスクマウント３に装着された光ディスク２に記録されたコンテンツデータまたは管理情報などを読み取り、これをデコード部４３またはディスク識別部３４などに供給する。【００８２】
デコード部４３は、ディスクドライブ４２から供給されたコンテンツデータをデコードする。デコード部４３は例えば映像デコーダおよび音声デコーダから構成されている。デコード部４３の映像デコード処理により生成された映像信号はディスプレイ装置６に供給される。デコード部４３の音声デコード処理により生成された音声信号はスピーカ７、８に供給される。また、デコード部４３は、リスト表示制御部３８の制御に従って視聴履歴リストを構成する文字および画像などをデコードする。【００８３】
操作部４４は、情報再生装置１のフロントパネルなどに設けられた操作ボタンを用いることによる情報再生装置１の操作を可能にする。操作部４４は、操作ボタン入力に応じて操作信号を生成する電気回路などにより構成されている。操作部４４にはイジェクトボタン配列２１中のイジェクトボタン２２、２３、２４が接続されている。【００８４】
リモコン通信部４６は、リモコン４と通信を行い、リモコン４の操作パネル５に設けられた操作ボタンを用いることによる情報再生装置１の操作を可能にする。リモコン通信部４６は、リモコンインターフェース回路などにより構成されている。【００８５】
コンピュータネットワーク通信部４７は、情報再生装置１をインターネット１０に接続する。コンピュータネットワーク通信部４７は、コンピュータネットワーク通信インターフェース回路などにより構成されている。【００８６】
総合制御部３９は、コンピュータユニット３０内に設けられた各部３１ないし３８、および記憶部４１、ディスクドライブ４２、デコード部４３、操作部４４、リモコン通信部４６およびコンピュータネットワーク通信部４７を制御する。【００８７】
４．レジューム情報、視聴日時、タイトル情報など
図６は、装置ＩＤ情報、利用者ＩＤ情報、パスワード（ＰＷ）情報、レジューム情報、視聴日時情報、視聴状況情報、タイトル情報およびプライベートフラグ情報を示している。【００８８】
利用者ＩＤ情報、パスワード（ＰＷ）情報、レジューム情報、視聴日時情報、視聴状況情報、タイトル情報およびプライベートフラグ情報は利用者ごとに存在する。レジューム情報、視聴日時情報、視聴状況情報、タイトル情報およびプライベートフラグ情報は光ディスクごとにおよびコンテンツデータごとに存在する。【００８９】
装置ＩＤ情報は、例えば情報再生装置１に固有のＩＤ番号である。この番号は予め決まっており、例えばコンピュータユニット３０のＲＯＭ、またはコンピュータネットワーク通信部４７に記憶されている。【００９０】
利用者ＩＤ情報は、例えば個々の利用者に固有のＩＤ番号である。この番号は、例えば利用者を登録するときに定まる。利用者ＩＤ情報は記憶部４１に記憶される。【００９１】
パスワード情報は、個々の利用者に固有のパスワードである。このパスワードは、例えば利用者を登録するときに、利用者により設定される。パスワードは記憶部４１に記憶される。【００９２】
レジューム情報には、ディスクＩＤ、ボリューム番号および再生停止アドレスを示す情報が含まれている。【００９３】
ディスクＩＤは、個々の光ディスクに固有のＩＤ番号である。ディスクＩＤは例えばユニークディスクＩＤである。ユニークディスクＩＤは、例えば光ディスクの中心近くに物理的に刻み込まれている。【００９４】
光ディスク２の記録容量は例えば数百ギガバイトであり、光ディスク２には例えばおよそ２００の映画作品が記録されている。このような大記録容量の光ディスクの場合、コンテンツデータなどの情報は複数のボリュームに分割されて記録される。ボリューム番号は、１つの光ディスクにおいて、個々のボリュームを識別するための番号である。【００９５】
再生停止アドレスは例えば１つのボリューム内における論理アドレスである。【００９６】
ボリューム番号と再生停止アドレスの組み合わせにより光ディスク上の１つの位置が定まる。ボリューム番号と再生停止アドレスの組み合わせにより定まる光ディスク上の１つの位置が、レジューム再生開始位置の基準となる位置となる。【００９７】
視聴日時情報は、コンテンツデータを最後に再生した日時（１つの映画作品を最後に視聴した日時）を示す情報である。【００９８】
視聴状況情報は、１つの映画作品に対応するコンテンツデータを途中まで再生したか、それとも再生済みかを示す情報である。【００９９】
タイトル情報はコンテンツデータのタイトル（１つの映画作品のタイトル）を示す情報である。【０１００】
プライベートフラグ情報はプライベートフラグの状態を示す情報である。プライベートフラグとは、コンテンツデータが所定の属性を有するか否かを示すフラグである。例えば、コンテンツデータに対応する１つの映画作品が１８歳未満視聴禁止である場合には、プライベートフラグはオンとなり、そうでない場合には、プライベートフラグはオフとなる。【０１０１】
レジューム情報、視聴日時情報、視聴状況情報、タイトル情報およびプライベートフラグ情報は、レジューム情報生成部３１により生成される。また、これらの情報は、装置ＩＤ情報および利用者ＩＤ情報と共に、情報再生装置１からサーバーコンピュータ１２に送信され、サーバーコンピュータ１２の記憶装置に記憶される。そして、これらの情報は、必要に応じて、サーバーコンピュータ１２から情報再生装置１に提供される。【０１０２】
また、記憶部４１には、サーバーコンピュータ１２のＩＰアドレスまたはドメイン名が記憶されている。【０１０３】
５．情報再生装置の動作
図７ないし図９は、情報再生装置１の動作を示している。【０１０４】
すでに、利用者Ｐ、Ｑ、Ｒの登録が行われ、利用者Ｐ、Ｑ、Ｒにはイジェクトボタン２２、２３、２４がそれぞれ割り当てられている。そして、利用者Ｐが光ディスク２を情報再生装置１に装着し、光ディスク２に記憶されている１つの映画作品のコンテンツデータをレジューム再生する。このコンテンツデータのタイトルは「ＡＡＡ」であり、利用者Ｐが過去に途中まで視聴しているものである。また、このコンテンツデータは１８歳未満視聴禁止ではない。また、掲載制限機能は稼働している。以下、このような状況を例にあげながら、情報再生装置１の動作を具体的に説明する。【０１０５】
図７に示すように、まず、情報再生装置１の総合制御部３９は、イジェクトボタン２２、２３、２４のうちのいずれかが押されたか否かを判断する（ステップＳ１）。【０１０６】
利用者Ｐがイジェクトボタン２２を押したとする。このとき、総合制御部３９は、イジェクトボタン２２が押されたと判断する（ステップＳ１：ＹＥＳ）。続いて、総合制御部３９はディスクマウント３を開く。【０１０７】
続いて、利用者識別部３２は現在の利用者を識別する（ステップＳ２）。イジェクトボタン２２、２３、２４のうちイジェクトボタン２２が押されたので、利用者識別部３２は、利用者Ｐが現在の利用者であることを認識する。【０１０８】
続いて、総合制御部３９は光ディスクが装着されたか否かを判断する（ステップＳ３）。【０１０９】
利用者Ｐが光ディスク２をディスクマウント３に装着し、ディスクマウント３を閉じる指示を情報再生装置１に入力したとする。このとき、総合制御部３９は、光ディスクが装着されたと判断する（ステップＳ３：ＹＥＳ）。【０１１０】
続いて、ディスク識別部３４は、現在装着されている光ディスクを識別する（ステップＳ４）。現在装着されている光ディスクは光ディスク２である。ディスク識別部３４は、ディスクドライブ４２を制御し、光ディスク２から、光ディスク２のディスクＩＤを読み取る。そして、ディスク識別部３４はこのディスクＩＤを記憶部４１に記憶する。【０１１１】
続いて、レジューム情報取得部３６は、コンピュータネットワーク通信部４７を制御し、情報再生装置１をサーバーコンピュータ１２に接続する（ステップＳ５）。このとき、レジューム情報取得部３６は、記憶部４１に記憶されているサーバーコンピュータ１２のＩＰアドレスまたはドメイン名を用いてサーバーコンピュータ１２に接続する。【０１１２】
続いて、レジューム情報取得部３６は、現在の利用者に対応し、かつ現在装着されている光ディスクに対応するレジューム情報、視聴日時情報、視聴状況情報、タイトル情報およびプライベートフラグ情報をサーバーコンピュータ１２から受信する（ステップＳ６）。【０１１３】
現在の利用者Ｐにより現在装着された光ディスク２のディスクＩＤが「１２３」であるとする。利用者Ｐに対応し、かつディスクＩＤ「１２３」に対応するコンテンツデータが４つ存在し、これらコンテンツデータに対応するディスクＩＤ、ボリューム番号、再生停止アドレス、視聴日時、視聴状況、タイトル、プライベートフラグが次の通りであり、これらの情報がレジューム情報取得部３６により受信されるとする。【０１１４】
第１のコンテンツデータについて
ディスクＩＤ：１２３
ボリューム番号：１
再生停止アドレス：001…97
視聴日時：2006年8月11日PM10:00
視聴状況：途中まで視聴
タイトル：ＡＡＡ
プライベートフラグ：オフ
第２のコンテンツデータについて
ディスクＩＤ：１２３
ボリューム番号：１
再生停止アドレス：006…58
視聴日時：2006年7月17日PM6:00
視聴状況：途中まで視聴
タイトル：ＢＢＢ
プライベートフラグ：オフ
第３のコンテンツデータについて
ディスクＩＤ：１２３
ボリューム番号：２
再生停止アドレス：008…12
視聴日時：2006年7月15日PM8:00
視聴状況：途中まで視聴
タイトル：ＣＣＣ
プライベートフラグ：オン
第４のコンテンツデータについて
ディスクＩＤ：１２３
ボリューム番号：１
再生停止アドレス：098…36
視聴日時：2006年6月15日PM2:00
視聴状況：視聴済み
タイトル：ＷＷＷ
プライベートフラグ：オフ
続いて、図８に示すように、リスト表示制御部３８は視聴履歴リスト表示処理を行う（ステップＳ７）。【０１１５】
図９は視聴履歴リスト表示処理を示している。視聴履歴リスト表示処理は、視聴履歴リストをディスプレイ装置６の画面に表示する処理である。【０１１６】
図９に示すように、まず、リスト表示制御部３８は、ディスプレイ装置６の画面に現在の利用者の名前を表示する（ステップＳ２１）。現在の利用者は利用者Ｐなので、利用者Ｐの名前がディスプレイ装置６の画面に表示される。【０１１７】
続いて、リスト表示制御部３８は、所定の属性を有するコンテンツデータの履歴を視聴履歴リストに掲載することを制限すべきか否かを判断する（ステップＳ２２）。現在、掲載制限機能は稼働しているので、リスト表示制御部３８は、所定の属性を有するコンテンツデータ（この例では１８歳未満視聴禁止のコンテンツデータ）の履歴を視聴履歴リストに掲載することを制限すべきと判断する（ステップＳ２２：ＹＥＳ）。【０１１８】
続いて、リスト表示制御部３８は、現在の利用者に対応しかつ現在装着されている光ディスクに対応するレジューム情報に係るすべてのコンテンツデータについて、プライベートフラグがオンか否かをコンテンツデータごとに調べる（ステップＳ２３）。そして、リスト表示制御部３８は、プライベートフラグがオフのコンテンツデータの履歴だけを視聴履歴リストに掲載する。具体的には、リスト表示制御部３８は、プライベートフラグがオフのコンテンツデータに対応する視聴日時、タイトル、視聴状況を視聴履歴リストに掲載する（ステップＳ２４）。【０１１９】
例えば、リスト表示制御部３８は、利用者Ｐに対応しかつディスクＩＤ「１２３」に対応する４つのコンテンツデータのうち、タイトル「ＡＡＡ」の第１コンテンツデータ、タイトル「ＢＢＢ」の第２コンテンツデータ、タイトル「ＷＷＷ」の第４コンテンツデータについて、視聴日時、タイトル、視聴状況を視聴履歴リストに掲載する。タイトル「ＣＣＣ」の第３コンテンツデータについては、プライベートフラグがオンなので、視聴日時、タイトル、視聴状況が視聴履歴リストに掲載されない。この結果、ディスプレイ装置６の画面中には図３に示すような視聴履歴リストが表示される。【０１２０】
なお、掲載制限機能の稼働が停止しているときには、所定の属性を有するコンテンツデータの履歴を視聴履歴リストに掲載することを制限すべきでないと判断される（ステップＳ２２：ＮＯ）。続いて、プライベートフラグのオン、オフにかかわらず、現在の利用者に対応しかつ現在装着されている光ディスクに対応するレジューム情報に係るすべてのコンテンツデータについて、視聴日時、タイトル、視聴状況が視聴履歴リストに掲載される（ステップＳ２６）。この場合には、タイトル「ＣＣＣ」の第３コンテンツデータについても、視聴日時、タイトル、視聴状況が視聴履歴リストに掲載される。この結果、ディスプレイ装置６の画面中には図４に示すような視聴履歴リストが表示される。【０１２１】
現在の利用者に対応しかつ現在装着されている光ディスクに対応するレジューム情報に係るすべてのコンテンツデータについてステップＳ２３およびステップＳ２４の処理が完了したとき（ステップＳ２５：ＹＥＳ）、または現在の利用者に対応しかつ現在装着されている光ディスクに対応するレジューム情報に係るすべてのコンテンツデータについてステップＳ２６の処理が完了したとき（ステップＳ２７：ＹＥＳ）、視聴履歴リスト表示処理は終了する。そして、処理は図８中のステップＳ８に移行する。【０１２２】
続いて、図８に示すように、総合制御部３９は、現在の利用者によりコンテンツデータが選択されたか否かを判断する（ステップＳ８）。【０１２３】
利用者Ｐが、リモコン４の操作パネル５に設けられた矢印ボタンおよび決定ボタンなどを操作し、タイトル「ＡＡＡ」の第１コンテンツデータを選択したとする。このとき、総合制御部３９は、現在の利用者Ｐにより第１コンテンツデータが選択されたと判断する（ステップＳ８：ＹＥＳ）。【０１２４】
続いて、コンテンツデータ識別部３３はレジューム再生すべきコンテンツデータを識別する（ステップＳ９）。具体的には、コンテンツデータ識別部３３は、ただいま利用者Ｐにより選択された第１コンテンツデータを、レジューム再生すべきコンテンツデータとして認識する。【０１２５】
続いて、再生制御部３７は、レジューム再生すべきコンテンツデータのレジューム再生開始位置を決定する（ステップＳ１０）。具体的には、再生制御部３７は、レジューム再生すべきコンテンツデータのボリューム番号および再生停止アドレスに基づいてレジューム再生開始アドレスを算出する。例えばタイトル「ＡＡＡ」の第１コンテンツデータのボリューム番号は「１」であり、再生停止アドレスは「001…97」なので、再生制御部３７は、ボリューム番号「１」における「001…97」の次のアドレスがレジューム再生開始アドレスであると決定する。【０１２６】
続いて、総合制御部３９は、利用者Ｐにより、リモコン４の操作パネル５に設けられた再生開始ボタンが押されたか否かを判断する（ステップＳ１１）。【０１２７】
再生開始ボタンが押されたときには（ステップＳ１１：ＹＥＳ）、再生制御部３７は、ステップＳ１０において決定したレジューム再生開始位置（レジューム再生開始アドレス）から、レジューム再生すべきコンテンツデータの再生を開始する（ステップＳ１２）。【０１２８】
続いて、総合制御部３９は、現在再生中のコンテンツデータの再生を停止すべきか否か判断する（ステップＳ１３）。【０１２９】
利用者Ｐにより、リモコン４の操作パネル５に設けられた再生停止ボタンなどが押されたとき、総合制御部３９は、現在再生中のコンテンツデータの再生を停止すべきと判断する（ステップＳ１３：ＹＥＳ）。【０１３０】
続いて、再生制御部３７は当該コンテンツデータの再生を直ちに停止する（ステップＳ１４）。【０１３１】
続いて、総合制御部３９はイジェクトボタンが押されたか否かを判断する（ステップＳ１５）。【０１３２】
例えば現在の利用者Ｐにより、当該利用者Ｐに割り当てられたイジェクトボタン２２が押されたときには（ステップＳ１５：ＹＥＳ）、続いてレジューム情報生成部３１は、当該コンテンツデータについて、レジューム情報、視聴日時情報、視聴状況情報、タイトル情報およびプライベートフラグ情報を生成する（ステップＳ１６）。【０１３３】
レジューム情報生成部３１は当該コンテンツデータについての再生停止アドレス情報を次のような手順で生成する。すなわち、レジューム情報生成部３１は、ステップＳ１４において、当該コンテンツデータの再生停止アドレスを検出し、これを記憶部４１に記憶する。そして、レジューム情報生成部３１は、ステップＳ１６においてこの再生停止アドレスを記憶部４１から読み出し、この再生停止アドレスを当該コンテンツデータの新たな再生停止アドレスとして用いる。【０１３４】
また、レジューム情報生成部３１は当該コンテンツデータについての視聴日時情報を次のような手順で生成する。すなわち、レジューム情報生成部３１は、ステップＳ１２において、当該コンテンツデータのレジューム再生が開始された日時を示す情報を記憶部４１に記憶する。そして、レジューム情報生成部３１は、ステップＳ１６においてこの日時情報を記憶部４１から読み出し、この日時情報を当該コンテンツデータの新たな視聴日時情報として用いる。【０１３５】
また、レジューム情報生成部３１は当該コンテンツデータについての視聴状況情報を次のような手順で生成する。すなわち、レジューム情報生成部３１は、ステップＳ１４において記憶部４１に記憶された当該コンテンツデータの再生停止アドレスを記憶部４１から読み出す。さらに、レジューム情報生成部３１は、ディスクドライブ４２を制御し、当該コンテンツデータの末尾アドレスを光ディスク２から読み出す。そして、レジューム情報生成部３１は、当該再生停止アドレスと当該末尾アドレスとを比較する。比較の結果、再生停止アドレスが末尾アドレス以上であるときには、レジューム情報生成部３１は、「視聴済み」を示す視聴状況情報を生成する。一方、比較の結果、再生停止アドレスが末尾アドレス未満であるときには、レジューム情報生成部３１は、「途中まで視聴」を示す視聴状況情報を生成する。【０１３６】
続いて、レジューム情報出力部３５は情報再生装置１をサーバーコンピュータに接続する（ステップＳ１７）。【０１３７】
続いて、レジューム情報出力部３５は、ステップＳ１６において生成された当該コンテンツデータについての再生停止アドレス、視聴日時情報および視聴状況情報を、装置ＩＤ情報および現在の利用者Ｐの利用者ＩＤ情報と共に、サーバーコンピュータ１２に送信する（ステップＳ１８）。これにより、サーバーコンピュータ１２の記憶装置に記憶された利用者Ｐに対応する当該コンテンツデータについての再生停止アドレス、視聴日時情報および視聴状況情報が更新される。なお、当該コンテンツデータについてのディスクＩＤ、ボリューム番号、タイトル情報およびプライベートフラグ情報は、当該コンテンツデータのレジューム再生を行う前と行った後とで変化しない。このため、これらの情報の更新は行われない。【０１３８】
６．情報再生装置により奏される効果など
以上説明した通り、情報再生装置１は、利用者ごとにおよびコンテンツデータごとにレジューム情報を生成し、これをサーバーコンピュータ１２の記憶装置に記憶する。そして、情報再生装置１は、現在の利用者を識別し、レジューム再生すべきコンテンツデータを識別し、当該利用者に対応しかつ当該コンテンツデータに対応するレジューム情報をサーバーコンピュータ１２の記憶装置から取得し、このレジューム情報に基づいて当該コンテンツデータについてレジューム再生を行う。【０１３９】
これにより、利用者ごとおよびコンテンツデータごとに働く高性能レジューム機能を実現することができる。したがって、膨大な数の映画作品が記録された光ディスク２を複数の利用者が利用する際における利便性を高めることができる。【０１４０】
例えば、光ディスク２に記録された映画作品の数が膨大であると、光ディスク２に記録された映画作品のうち、利用者Ｐが視聴途中の映画作品が３つあり、利用者Ｑが視聴途中の映画作品が４つあり、利用者Ｒが視聴途中の映画作品が２つあるといった事態が生じ得る。このような場合でも、情報再生装置１によれば、利用者ごとにおよび映画作品ごとにレジューム再生を行うことができるので、映画作品の視聴に関し、利便性を高めることができる。【０１４１】
また、情報再生装置１は、利用者ごとに視聴履歴リストを表示する。これにより、光ディスク２に記録された複数の映画作品について、前回の視聴状況をわかりやすく個々の利用者に提示することができる。【０１４２】
例えば、図３に示すように、情報再生装置１は、利用者Ｐの視聴履歴リストを表示する。利用者Ｐはこの視聴履歴リストを見て、視聴途中の映画作品を知ることができ、視聴途中の映画作品の中から、今回視聴する映画作品を選ぶことができる。また、利用者Ｐは視聴履歴リストを見て、視聴済みの映画作品を知ることができ、視聴済みの映画作品を今回視聴すべき映画作品の選択候補から外すことができる。【０１４３】
また、情報再生装置１は、所定の属性を有する映画作品、例えば１８歳視聴禁止の映画作品の履歴を視聴履歴リストに掲載しない。これにより、１つの光ディスク、または１つの情報再生装置１を複数の者で利用する場合に、個々の利用者のプライバシーを保護することができる。【０１４４】
また、情報再生装置１は、レジューム情報、視聴日時情報、視聴状況情報、タイトル情報などを、インターネット１０を介してサーバーコンピュータ１２に送信し、これらの情報をサーバーコンピュータ１２の記憶装置に記憶する。また、高性能レジューム機能または視聴履歴リスト表示機能などを稼働するとき、情報再生装置１は、インターネット１０を介してサーバーコンピュータ１２からレジューム情報、視聴日時情報、視聴状況情報、タイトル情報などを受信する。【０１４５】
これにより、利用者は、１つの光ディスク２に記録されたコンテンツデータを複数の情報再生装置でレジューム再生することが可能になる。例えば、利用者は、光ディスク２を自宅にある情報再生装置１に装着してコンテンツデータをレジューム再生することができるだけでなく、同じ光ディスク２を友人の家にある他の情報再生装置１に装着してコンテンツデータをレジューム再生することができる。【０１４６】
７．情報再生装置の他の実施形態
図１０は本発明の情報再生装置の他の実施形態を示している。【０１４７】
図１０中の情報再生装置６０は、情報再生装置１の機能に加え、互いに異なる複数の光ディスクにそれぞれ記録された同一の映画作品について同一のレジューム再生を行う機能（拡張レジューム機能）を備えている。【０１４８】
例えば、光ディスク１８には日本映画の代表作品が２００記録され、光ディスク１９には、ある有名日本女優が出演している映画作品が９５記録されているとする。そして、当該有名日本女優が出演している１つの日本映画作品Ｍが、光ディスク１８にも光ディスク１９にも記録されているとする。そして、光ディスク１８に記録された日本映画作品Ｍに対応するコンテンツデータがコンテンツデータＤ１であり、光ディスク１８に記録された日本映画作品Ｍに対応するコンテンツデータがコンテンツデータＤ２であるとする。【０１４９】
この場合、互いに異なる光ディスク１８と光ディスク１９とにそれぞれ記録されたコンテンツデータＤ１とコンテンツデータＤ２は同一映画作品Ｍのコンテンツデータであるので、コンテンツデータＤ１に含まれる映像データおよび音声データの内容は、コンテンツデータＤ２に含まれる映像データおよび音声データの内容と同じである。また、コンテンツデータＤ１のタイトルは、コンテンツデータＤ２のタイトルと同じである。【０１５０】
しかし、光ディスク１８に記録されているコンテンツデータＤ１の光ディスク１８上の記録位置と、光ディスク１９に記録されているコンテンツデータＤ２の光ディスク１９上の記録位置とは互いに異なる。例えば、光ディスク１８に記録された情報のディレクトリ構造と光ディスク１９に記録された情報のディレクトリ構造とが互いに異なり、この結果、コンテンツデータＤ１の記録位置とコンテンツデータＤ２の記録位置とは互いに異なる。コンテンツデータＤ１の記録位置とコンテンツデータＤ２の記録位置とが互いに異なるため、ボリューム番号や先頭アドレス、末尾のアドレス（論理アドレス）についても、コンテンツデータＤ１とコンテンツデータＤ２とで互いに異なる。【０１５１】
このため、コンテンツデータＤ１についてのレジューム再生開始位置を、コンテンツデータＤ２についてのレジューム再生開始位置としてそのまま用いても、コンテンツデータＤ１と同一のレジューム再生をコンテンツデータＤ２について行うことはできない。コンテンツデータＤ１と同一のレジューム再生をコンテンツデータＤ２について行うためには、コンテンツデータＤ１についてのレジューム再生開始位置を、コンテンツデータＤ２に合わせるように変換する必要がある。情報再生装置６０はこのような変換処理を行う機能を備えている。【０１５２】
図１０中の情報再生装置６０のコンピュータユニット７０は、情報再生装置１のコンピュータユニット３０が有する構成要素に加え、履歴認識部７１および再生位置決定部７２を備えている。【０１５３】
履歴認識部７１は、利用者識別部３１により識別された利用者に対応するレジューム情報を認識し、このレジューム情報に対応する光ディスクおよびコンテンツデータを認識する。【０１５４】
再生位置決定部７２は、ディスク識別部３４により識別された光ディスクと履歴認識部７１により認識された光ディスクとが互いに異なり、かつ、ディスク識別部３４により識別された光ディスクに記録されているコンテンツデータのタイトルと履歴認識部７１により認識されたコンテンツデータのタイトルとが互いに同じであるときには、履歴認識部７１により認識されたレジューム情報に基づいて、ディスク識別部３４により識別された光ディスクに記録されているコンテンツデータの再生開始位置を、履歴認識部７１により認識されたコンテンツデータのレジューム再生開始位置に対応するように決定する。【０１５５】
図１１は情報再生装置６０の動作を示している。【０１５６】
かつて、利用者Ｐは光ディスク１８を情報再生装置６０に装着し、光ディスク１８に記録されている映画作品ＭのコンテンツデータＤ１を途中まで再生した。このため、サーバーコンピュータ１２の記憶装置には次のような情報が記憶されている。【０１５７】
装置ＩＤ：１１０４
利用者ＩＤ：０１
パスワード：********
ディスクＩＤ：３６５
ボリューム番号：１
再生停止アドレス：023…36
視聴日時：2006年6月17日PM15:00
視聴状況：途中まで視聴
タイトル：ＧＧＧ
プライベートフラグ：オフ
なお、装置ＩＤ「１１０４」は、利用者ＰがコンテンツデータＤ１の再生に利用した情報再生装置６０の装置ＩＤである。利用者ＩＤ「０１」は利用者Ｐの利用者ＩＤである。ディスクＩＤ「３６５」は光ディスク１８のディスクＩＤである。【０１５８】
そして、現在、利用者Ｐは、光ディスク１９に記録されている映画作品ＭのコンテンツデータＤ２をレジューム再生するために、光ディスク１９を情報再生装置６０に装着しようとしている。なお、利用者Ｐは光ディスク１９に記録されている映画作品ＭのコンテンツデータＤ２の再生は一度も行っていない。【０１５９】
以下、このような状況を例にあげながら、情報再生装置６０の動作を具体的に説明する。【０１６０】
図１１に示すように、まず、情報再生装置６０は図７中のステップＳ１ないしステップＳ５の処理を行う。【０１６１】
すなわち、利用者Ｐがイジェクトボタン２２を押し、光ディスク１９を情報再生装置６０に装着すると、情報再生装置６０の利用者識別部３２は、利用者Ｐが現在の利用者であることを認識する（ステップＳ１、Ｓ２）。続いて、ディスク識別部３４は、ただいま装着された光ディスク１９のディスクＩＤを読み取り、これを記憶部４１に記憶する（ステップＳ３、Ｓ４）。続いて、レジューム情報取得部３６は、コンピュータネットワーク通信部４７を制御し、情報再生装置６０をサーバーコンピュータ１２に接続する（ステップＳ５）。【０１６２】
続いて、レジューム情報取得部３６は、現在の利用者Ｐに対応しかつすべての光ディスクに対応するレジューム情報、視聴日時情報、視聴状況情報、タイトル情報、プライベートフラグ情報をサーバーコンピュータ１２から受信する（ステップＳ３１）。すなわち、レジューム情報取得部３６は、利用者Ｐに対応しかつ光ディスク１９に対応するレジューム情報、視聴日時情報、視聴状況情報、タイトル情報、プライベートフラグ情報だけでなく、利用者Ｐに対応しかつ光ディスク１９以外の光ディスクに対応するレジューム情報、視聴日時情報、視聴状況情報、タイトル情報、プライベートフラグ情報をも受信する。【０１６３】
続いて、総合制御部３９は、現在の利用者Ｐに対応しかつすべての光ディスクに対応するレジューム情報、視聴日時情報、視聴状況情報、タイトル情報、プライベートフラグ情報の中から、光ディスク１９に対応するレジューム情報、視聴日時情報、視聴状況情報、タイトル情報、プライベートフラグ情報を選択する（ステップＳ３２）。【０１６４】
続いて、総合制御部３９は、ディスクドライブ４２を制御し、光ディスク１９に記録されているすべてのコンテンツデータのタイトルを取得する（ステップＳ３３）。【０１６５】
続いて、履歴認識部７１は、利用者Ｐに対応し、かつ光ディスク１９以外の光ディスクに対応するタイトル情報が示すタイトルの中から、光ディスク１９に記録されているコンテンツデータと同一のタイトルを見つけ出す。そして、履歴認識部７１は、見つけ出したタイトルに対応するレジューム情報、視聴日時情報、視聴状況情報、タイトル情報、プライベートフラグ情報を、利用者Ｐに対応しかつ光ディスク１９以外の光ディスクに対応するレジューム情報、視聴日時情報、視聴状況情報、タイトル情報、プライベートフラグ情報の中から選択する（ステップＳ３４）。【０１６６】
光ディスク１９に記録されているすべてのコンテンツデータのタイトルの中には、映画作品Ｍに対応するコンテンツデータＤ２のタイトルが含まれている。このため、ステップＳ３３では、コンテンツデータＤ２のタイトルが取得される。【０１６７】
さらに、利用者Ｐに対応しかつ光ディスク１９以外の光ディスクに対応するタイトル情報が示すタイトルの中には、映画作品Ｍに対応するコンテンツデータＤ１のタイトルが含まれている。コンテンツデータＤ１のタイトルは、コンテンツデータＤ２のタイトルと同じである。このため、ステップＳ３４では、コンテンツデータＤ１のタイトルが見つけ出される。そして、ステップＳ３４では、コンテンツデータＤ１のタイトルに対応するレジューム情報、視聴日時情報、視聴状況情報、タイトル情報、プライベートフラグ情報が、利用者Ｐに対応しかつ光ディスク１９以外の光ディスクに対応するレジューム情報、視聴日時情報、視聴状況情報、タイトル情報、プライベートフラグ情報の中から選択される。【０１６８】
続いて、再生位置決定部７２は、ステップＳ３４において見つけ出されたタイトルに対応するコンテンツデータのレジューム再生開始位置を決定する。すなわち、再生位置決定部７２は、コンテンツデータＤ２のレジューム再生開始位置を決定する（ステップＳ３５）。【０１６９】
コンテンツデータＤ２のレジューム再生開始位置の決定は例えば次のような手順で行われる。まず、再生位置決定部７２は、コンテンツデータＤ１に対応するレジューム情報に含まれるボリューム番号および再生停止アドレスに基づいて、コンテンツデータＤ１のレジューム再生開始アドレスを決定する。続いて、再生位置決定部７２は、コンテンツデータＤ１のレジューム再生開始アドレスとコンテンツデータＤ１の先頭アドレスとに基づいて、コンテンツデータＤ１の先頭位置からコンテンツデータＤ１のレジューム再生開始位置までの実質的な長さ（以下、これを「既再生長さ」という。）を算出する。続いて、再生位置決定部７２は、コンテンツデータＤ２の先頭アドレスおよび既再生長さに基づいて、コンテンツデータＤ２のレジューム再生開始アドレスを算出する。【０１７０】
続いて、情報再生装置６０の動作は、図８中のステップＳ７に移行する。そして、ステップＳ７の視聴履歴リスト表示処理は、図１１中のステップＳ３２およびステップＳ３４において選択されたレジューム情報、視聴日時情報、視聴状況情報、タイトル情報、プライベートフラグ情報に基づいて行われる。【０１７１】
また、図８中のステップＳ１０では、ステップＳ３４で見つけ出されたタイトルに対応するコンテンツデータ（コンテンツデータＤ２）の再生開始位置として、図１１中のステップＳ３５において決定されたレジューム再生開始位置が用いられる。【０１７２】
以上説明したとおり、情報再生装置６０によれば、互いに異なる複数の光ディスクにそれぞれ記録された同一の映画作品について同一のレジューム再生を行うことができる。【０１７３】
すなわち、利用者Ｐが、光ディスク１８に記録された映画作品ＭのコンテンツデータＤ１を過去に途中まで再生し、そして現在、光ディスク１９に記録された映画作品ＭのコンテンツデータＤ２をレジューム再生するとき、情報再生装置６０は、光ディスク１８に記録されているコンテンツデータＤ１についてのレジューム再生開始位置を、コンテンツデータＤ２についてのレジューム再生開始位置に変換する。そして、情報再生装置６０は、変換されたレジューム再生開始位置からコンテンツデータＤ２を再生する。これにより、利用者Ｐは、映画作品Ｍを、過去に視聴を中断したところの次から視聴することができる。【０１７４】
なお、上述した実施形態では、利用者ごとにおよびコンテンツデータごとにレジュームを行う場合を例にあげたが、本発明はこれに限られず、利用者以外の管理区分ごとにおよびコンテンツデータごとにレジュームを行ってもよい。例えば、映画作品のジャンルごとにおよびコンテンツデータごとにレジュームを行ってもよい。この場合、例えばイジェクトボタン２２、２３、２４に映画作品のジャンルをそれぞれ割り当てる。【０１７５】
また、上述した実施形態では、レジューム再生開始位置の基準となる位置を示す情報として、ボリューム番号および再生停止アドレスを用いる場合を例にあげたが、本発明はこれに限られない。前回どこまで再生したかを定めることができる他の情報をレジューム再生開始位置の基準となる位置を示す情報として用いてもよい。【０１７６】
また、上述した実施形態では、レジューム再生開始位置の基準となる位置を示す情報であるボリューム番号および再生停止アドレスをレジューム情報に含める場合を例にあげた。しかし、本発明はこれに限られない。レジューム再生開始位置をレジューム情報に含ませてもよい。この場合には、レジューム情報生成部３１が図８中のステップＳ１６でレジューム情報を生成するとき、コンテンツデータの再生停止位置に基づいてレジューム再生開始位置を算出し、レジューム情報出力部３５がこれをレジューム情報の一部としてサーバーコンピュータ１２に送信し、サーバーコンピュータ１２の記憶装置に記憶させる。【０１７７】
また、上述した実施形態では、イジェクトボタンが押されたことをきっかけとして、レジューム情報などの生成および送信を行う場合を例にあげたが、本発明はこれに限られない。例えば、再生停止ボタンまたはポーズボタンが押された直後または再生停止ボタンまたはポーズボタンが押されてから所定期間経過後にレジューム情報などの生成および送信を行ってもよい。【０１７８】
また、上述した実施形態では、コンテンツデータの記録媒体が光ディスクである場合を例にあげたが、他のリムーバルな記録媒体でもよい。また、記録媒体は再生専用型に限られず、記録可能型でもよい。【０１７９】
また、上述した実施形態では、コンテンツデータが映画作品のコンテンツデータである場合を例にあげたが、本発明はこれに限られない。テレビ番組、音楽、文書などのコンテンツデータでもよい。【０１８０】
また、上述した実施形態では、レジューム情報生成部３１、利用者識別部３２、コンテンツデータ識別部３３、ディスク識別部３４、レジューム情報出力部３５、レジューム情報取得部３６、再生制御部３７、リスト表示制御部３８および総合制御部３９などをコンピュータユニット３０（７０）として実現する場合を例にあげた。しかし、これらの構成要素はコンピュータプログラム、コンピュータプログラム製品またはコンピュータプログラムが記録された記録媒体として実現することも可能である。【０１８１】
また、図１中のインターネット１０がコンピュータネットワークの具体例であり、サーバーコンピュータ１２がコンピュータの具体例である。また、図５中のレジューム情報生成部３１がレジューム情報生成手段の具体例であり、利用者識別部３２が管理区分識別手段の具体例であり、コンテンツデータ識別部３３がコンテンツデータ識別手段の具体例であり、ディスク識別部３４が記録媒体識別手段の具体例である。また、レジューム情報出力部３５がレジューム情報生成手段の具体例であり、レジューム情報取得部３６がレジューム情報取得手段の具体例であり、再生制御部３７が再生制御手段の具体例である。また、リスト表示制御部３８がリスト表示手段の具体例である。また、図１０中の履歴認識部７１が認識手段の具体例であり、再生位置決定部７２が再生位置決定手段の具体例である。【０１８２】
また、図８中のステップＳ１６がレジューム情報生成工程の具体例であり、ステップＳ１８がレジューム情報出力工程の具体例である。また、図７中のステップＳ２が管理区分識別工程の具体例である。また、図８中のステップＳ９がコンテンツデータ識別工程の具体例である。また、図７中のステップＳ６および図８中のステップＳ１０がレジューム情報取得工程の具体例であり、図８中のステップＳ１０ないしステップＳ１２が再生制御工程の具体例である。
【産業上の利用可能性】
【０１８３】
本発明に係る情報再生装置および情報再生方法は、例えば光ディスクプレーヤやコンピュータなどに利用可能である。
【図１】
2008047418.tif 000003
【図２】
2008047418.tif 000004
【図３】
2008047418.tif 000005
【図４】
2008047418.tif 000006
【図５】
2008047418.tif 000007
【図６】
2008047418.tif 000008
【図７】
2008047418.tif 000009
【図８】
2008047418.tif 000010
【図９】
2008047418.tif 000011
【図１０】
2008047418.tif 000012
【図１１】
2008047418.tif 000013
【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
複数のコンテンツデータが記録されたリムーバブルな記録媒体に記録された情報を再生する情報再生装置であって、
レジューム再生開始位置の基準となる位置またはレジューム再生開始位置を示すレジューム情報を、複数の管理区分ごとにかつ複数のコンテンツデータごとに生成するレジューム情報生成手段と、
前記レジューム情報生成手段により生成されたレジューム情報を記憶装置に出力するレジューム情報出力手段と、
前記複数の管理区分として複数の利用者が夫々割り当てられている複数のイジェクトボタンを有し、前記複数の管理区分のうちの１つの管理区分として一人の利用者を識別するとともに、当該情報再生装置に対して前記記録媒体の装着用マウントの開閉指示を出す管理区分識別手段と、
前記複数のコンテンツデータのうちの１つのコンテンツデータを識別するコンテンツデータ識別手段と、
前記管理区分識別手段により識別された１つの管理区分に対応し、かつ前記コンテンツデータ識別手段により識別された１つのコンテンツデータに対応する前記レジューム情報を前記記憶装置から取得するレジューム情報取得手段と、
前記レジューム情報取得手段により取得されたレジューム情報に基づいてレジューム再生開始位置を決定し、前記コンテンツデータ識別手段により識別された１つのコンテンツデータの再生を前記レジューム再生開始位置から開始する再生制御手段とを備えていることを特徴とする情報再生装置。
【請求項２】
前記レジューム情報生成手段は、複数の利用者ごとにかつ複数のコンテンツデータごとに前記レジューム情報を生成することを特徴とする請求の範囲第１項に記載の情報再生装置。
【請求項３】
前記管理区分識別手段により識別された管理区分に対応するレジューム情報に係るコンテンツデータのリストを表示するリスト表示手段を備えていることを特徴とする請求の範囲第１項に記載の情報再生装置。
【請求項４】
前記管理区分識別手段により識別された管理区分に対応するレジューム情報に係り、かつ所定の属性を有していないコンテンツデータのリストを表示するリスト表示手段を備えていることを特徴とする請求の範囲第１項に記載の情報再生装置。
【請求項５】
前記レジューム情報出力手段は、前記レジューム情報生成手段により生成されたレジューム情報をコンピュータネットワークに接続されたコンピュータの記憶装置に記憶させるために、前記コンピュータネットワークを通じて前記コンピュータに当該レジューム情報を送信する送信手段を備え、
前記レジューム情報取得手段は、前記コンピュータの記憶装置に記憶された前記レジューム情報を、前記コンピュータネットワークを通じて受信する受信手段を備えていることを特徴とする請求の範囲第１項に記載の情報再生装置。
【請求項６】
前記レジューム情報生成手段は、複数の記録媒体ごとに、複数の管理区分ごとにかつ複数のコンテンツデータごとに前記レジューム情報を生成することを特徴とする請求の範囲第１項に記載の情報再生装置。
【請求項７】
当該情報再生装置に現在装着されている記録媒体を識別する記録媒体識別手段と、
前記管理区分識別手段により識別された管理区分に対応するレジューム情報を認識し、このレジューム情報に対応する記録媒体およびコンテンツデータを認識する認識手段と、
前記記録媒体識別手段により識別された記録媒体と前記認識手段により認識された記録媒体とが互いに異なり、かつ、前記記録媒体識別手段により識別された記録媒体に記録されているコンテンツデータのタイトルと前記認識手段により認識されたコンテンツデータのタイトルとが互いに同じであるときには、前記認識手段により認識されたレジューム情報に基づいて、前記記録媒体識別手段により識別された記録媒体に記録されているコンテンツデータの再生開始位置を、前記認識手段により認識されたコンテンツデータのレジューム再生開始位置に対応するように決定する再生位置決定手段とを備えていることを特徴とする請求の範囲第６項に記載の情報再生装置。
【請求項８】
複数のコンテンツデータが記録されたリムーバブルな記録媒体に記録された情報を再生する情報再生方法であって、
レジューム再生開始位置の基準となる位置またはレジューム再生開始位置を示すレジューム情報を、複数の管理区分ごとにかつ複数のコンテンツデータごとに生成するレジューム情報生成工程と、
前記レジューム情報生成工程において生成されたレジューム情報を記憶装置に出力するレジューム情報出力工程と、
前記複数の管理区分として複数の利用者が夫々割り当てられている複数のイジェクトボタンが押されることにより、前記複数の管理区分のうちの１つの管理区分として一人の利用者を識別するとともに、当該情報再生装置に対して前記記録媒体の装着用マウントの開閉指示を出す管理区分識別工程と、
前記複数のコンテンツデータのうちの１つのコンテンツデータを識別するコンテンツデータ識別工程と、
前記管理区分識別工程において識別された１つの管理区分に対応し、かつ前記コンテンツデータ識別工程において識別された１つのコンテンツデータに対応する前記レジューム情報を前記記憶装置から取得するレジューム情報取得工程と、
前記レジューム情報取得工程において取得されたレジューム情報に基づいてレジューム再生開始位置を決定し、前記コンテンツデータ識別工程において識別された１つのコンテンツデータの再生を前記レジューム再生開始位置から開始する再生制御工程とを備えていることを特徴とする情報再生方法。
【請求項９】
請求項８に記載の情報再生方法をコンピュータに実行させるためのコンピュータプログラム。
【国際調査報告】
2008047418.tif 000014
2008047418.tif 000015